(57)【要約】【課題】箱状に折り畳み可能な収納型ヘルメットを提供することを目的とする。【解決手段】合成樹脂材により成型された多分割部品を組み合わせたヘルメットで、複数の曲率半径がそれぞれ異なる円弧状のプレートと、前記複数のプレートの両端部を回転可能に支持するための回転軸と、前記複数のプレートのうち最下部のプレート周囲に固着されたヒサシと、前記回転軸間を連結するためのセンタープレートと、前記ヒサシ付プレートの所定の箇所に屈曲可能に連結された背面タレとからなる収納型ヘルメットであって、前記複数の円弧状プレートの曲率半径は該プレートを前記回転軸を中心に順次収納可能となるような曲率半径であり、かつ、前記複数のプレートを収納状態としたときに前記センタープレートと前記背面タレとが収納ケースを兼ねることを特徴とする収納型ヘルメット。【選択図】  図１
2010185147.tif 000002
【特許請求の範囲】
【請求項１】
合成樹脂材により成型された多分割部品を組み合わせたヘルメットで、複数の曲率半径がそれぞれ異なる円弧状のプレートと、
前記複数のプレートの両端部を回転可能に支持するための回転軸と、
前記複数のプレートのうち最下部のプレート周囲に固着されたヒサシと、
前記回転軸間を連結するためのセンタープレートと、
前記ヒサシ付プレートの所定の箇所に屈曲可能に連結された背面タレとからなる収納型ヘルメットであって、
前記複数の円弧状プレートの曲率半径は該プレートを前記回転軸を中心に順次収納可能となるような曲率半径であり、かつ、前記複数のプレートを収納状態としたときに前記センタープレートと前記背面タレとが収納ケースを兼ねることを特徴とする収納型ヘルメット。
【請求項２】
前記最下部のプレートに固着されるヒサシは、上方視界を広くするための透視可能な材料にて前記最下部のプレートと一体成型されることを特徴とする請求項１記載の収納型ヘルメット。
【請求項３】
前記収納型ヘルメットの内部に、自動展開するハンモックとあごひもが付加されていることを特徴とする請求項１記載の収納型ヘルメット。
【発明の詳細な説明】
【技術分野】
【０００１】
本発明は災害時に頭部・顔面・首及び背中を保護するために常時携帯できる伸縮式の収納型ヘルメットに関する。
【背景技術】
【０００２】
従来から工事現場や防災訓練では安全のために保護帽や安全帽などのヘルメットが使用されており、実際の災害発生時にはそれを利用している。
【発明の開示】
【発明が解決しようとする課題】
【０００３】
しかし、何時、どこで発生するか分からない災害に対して職場や家庭・学校に居る時はそれなりに備えられてあるヘルメットを利用できるが、外出中や通勤・通学途中のために常時ヘルメットを携帯していることはその大きさからして不可能である。
本発明は、上記課題を解決するためになされたものであり、箱状に折り畳み可能な収納型ヘルメットを提供することを目的とする。
【課題を解決するための手段】
【０００４】
合成樹脂材により成型された多分割部品を組み合わせたヘルメットで、複数の曲率半径がそれぞれ異なる円弧状のプレートと、
前記複数のプレートの両端部を回転可能に支持するための回転軸と、
前記複数のプレートのうち最下部のプレート周囲に固着されたヒサシと、
前記回転軸間を連結するためのセンタープレートと、
前記ヒサシ付プレートの所定の箇所に屈曲可能に連結された背面タレとからなる収納型ヘルメットであって、
前記複数の円弧状プレートの曲率半径は該プレートを前記回転軸を中心に順次収納可能となるような曲率半径であり、かつ、前記複数のプレートを収納状態としたときに前記センタープレートと前記背面タレとが収納ケースを兼ねることを特徴とする収納型ヘルメット。
【発明の効果】
【０００５】
これにより、通勤・通学途中のカバンの中、レジャーバックの中、買物中の手提げ袋の中等々、常時携帯できて非常時にはその場で直ぐに使用できる。
【０００６】
また、収縮時のカバーをセットした状態ではその内部に空間ができるのでその部分に市販されている簡易防じんマスクや薄手の手袋なども収納することができる。これらをつかう事により避難途中に手を使ってハンカチなどで口・鼻を覆う必要がなく、その分、手が自由に使え身体の転倒などから身を守ることができる。
【発明を実施するための最良の形態】
【０００７】
このヘルメットは図１の１及び図２の１に示すように頭の頂部となるセンタープレートを中心として前側と後側各々湾曲した複数の中間プレートを多層に組んでおり、図２の３で示す前後の最下部プレートはヒサシつきとなっている。また、このヒサシは上部からの飛散物や落下物から顔面や首、また、メガネなどを保護し透明な材料で形成することにより仰角を大きくし広い視界が得られる。
収納時の形態は、収納カバーをセットしたときは図３で示すように月が半月になった時のような半円状になり大きさとしては厚手の雑誌一冊より小型になる。
ヘルメットとして使用するには本体を膝・机・床などの上に図４で示す本体側面を自分の体の正面に位置させ図３の４及び図４の４で示す留め具を１箇所開放し、左右両外装カバーの内側に畳まれている図３の５及び図５の５で示す両ヒサシの頂部を左右各々の手で図５に示すようにセンタープレートを中心に左右同時に弧を描くように開きながら引き下げ伸張すると図１のように通常の半球状のヘルメットへと変形する。その時同時に、図９の６のように内部に収められていた内装ハンモックとあごひもも図１の７及び図１４の７のように自動的に展開しセットされる。あとは着帽しあごひもを掛けると着装完了となる。
【０００８】
図３の８のように収縮時本体の外装カバーとなっていた物は伸張してヘルメット状態になった時には、図１の９及び図２の９で示すように後部ヒサシに一部接続された状態でぶら下がり図６及び図７のようにそのまま背面タレとなり、落下物や飛散物から襟や背中を保護する役目を持つことになる。これにより、カバーの紛失と言う事も起こらず再度元の収納状態にすることにより何度でも最初のときと同じように使用できる。また、背面タレは図６の９と１０図７の９と１０で示す計３箇所の部分が前後に自由に動くようになっており、顔が上方を仰ぎ見たり下方に下げたりしてもタレが体に沿って折れ曲がるため行動を妨げることはない。そして、この外装カバー兼背面タレにより携帯用の専用ケースや袋が不要となる。
【０００９】
収縮・収納し元の携帯状態にするには図１３で示すロック状態を解除した後、図８のように頭部部分を背面タレの上に乗せた状態で全休を机や膝・床等の上に置き、図８の５で示すヘルメット前部のヒサシ下面部分を後頭部方向に弧を描くように押して行くと各プレートは順次収まり収縮する。その後、あごひもを収納しセンタープレートと屈曲させた背面タレとにより全休をカバーし最後に留め具をセットすると収納が完了し携帯状態となる。
そして、内装ハンモック・あごひもが収納された携帯状態では図９の１１で示すように内部に収納スペースが発生するため、使用者が各自で必要と思われる物、例えば市販の防じんマスクとか手袋・笛・小型ライトなどが収納できる。
【００１０】
ヘルメットの主要構造部である外側の殻及び背面タレの材質は強度、柔軟性、重量、加工性及び感電防止を考慮すると合成樹脂材が最適である。
センタープレートの両端は図１０と図１２で示すように各々の内側に角張ったU字型に、かつ、若干内側に角度を付けてスプリング効果を持たせて複数の中間プレートとヒサシ付プレートを挟み込めるように形成する。さらに、U字型の末端内側には図１０の１２及び図１２の１２のようにヒサシ付プレートの厚さと同等のせり出し部を設け、図１０の１３及び図１２の１３のようにプレートー枚分の隙間を持たせる。
ヒサシ付プレートと各中間プレートは扇子の骨を綴じ合わせた要（かなめ）の部分と同様に束ねられるが、伸張したヘルメット状態のときにはその要（かなめ）部の付近には図１１の斜線で示す部分は各プレートが相互に重なっており重複部分を生じる。その重複部分に対しヒサシ付プレートには図１１のAで示すように弧の外側の所定の箇所にプレートと同等の厚さの突起部を設ける。そして、ヒサシ付プレートの上に重なる一枚目の中間プレートにその突起部が収まり、かつ、伸張する時にスライドする分の長さを含めた図１１のBで示す溝部を設け、さらに、適当な間隔を取り、離れた部分に前記ヒサシ付プレートと同様に図１１のCのように突起部を設ける。そして一枚目の中間プレートの上に重なる二枚目の中間プレートも一枚目の中間プレートと同様に一枚目の中間プレートの突起部が収まり、かつ、スライドする長さの溝及び三枚目の中間プレートを引き出すための突起部を設ける。以降半球状に構成されるまでの複数の中間プレートは同様に成形し、最終の中間プレートには突起部は不要で引き出されるための図１１のDに示す溝を設けるだけでよい。
以上の状態を各プレートの両端、前部後部同様に計４箇所形成する。そして、以上の各プレートを、センタープレートの内側に各中間プレート、最後の一番内側になるヒサシ付プレートをそれぞれの突起部と溝部を合わせて順に組み込み、前記センタープレートのU字型部分でセンタープレート以外の各プレートが回転可能に支持する軸にて固定し収納状態とする。
【００１１】
前記収納状態にセットされたものを図５で示すように前部後部各ヒサシ付プレートのヒサシ部分を右手と左手で同時に弧を描くように左右に引き出しながら伸張することにより、ヒサシ付プレートの突起部が一枚目の中間プレートの溝の中をスライドして溝の最深部に達した後その突起部が一枚目の中間プレートを引き出す。さらに、ヒサシ付プレートを引き出し続けることにより二枚目の中間プレートの突起部が三枚目の中間プレートの溝の中をスライドしながら最深部に達した後三枚目の中間プレートの引き出しにかかる。同様に順次各プレートの突起部と溝部を介して全ての中間プレートが引き出されると伸張が完了して半球状のヘルメットが形成される。
そして、伸張完了と同時に前部後部二枚のヒサシ付プレートだけは図２及び図１３で示すようにセンタープレートに対して直角状態となり、センタープレートの両端U字型部分のせり出し部内側の図１０の１３・図１２の１３に示す空間部にヒサシ付プレートの各末端計４か所が各々収まり、その各一部が図１３のようにせり出し部で爪に引っ掛かった状態となりロックされる。これにより伸張完了後は振動や衝撃などにより収縮することは無く、ロックを解除するには材料の柔軟性を利用して数ミリU字型部を広げるだけで良い。
【００１２】
内装ハンモックとあごひもの材料はヘルメットの伸張・収縮を何度繰り返しても屈曲と張りに支障がないよう、また、頭部に柔軟な接触感を持たせるためにも合繊の平織りテープが良好である。そして、ヘルメットを伸張した時や収縮する時にハンモックが内部からはみ出ぬよう、かつ、着帽している時の頭部に安定性を持たせるために図１４の１５に示すように着帽状態のハンモックの最頂部の外側と、外装の殻の最頂部（センタープレート最頂部）の内側との間に各々１箇所ずつ丈夫な細糸で互いを支持固定させる。
ハンモックと殻の下部の接続は、図１４の１６で示すように互いの間に適当な間隔で緩衝材を介して取り付け、殻の外部からの衝撃を直接頭部に受けないようにする。あごひもの締め調節には堅ろうであり、あわてている時にも誤操作がなく、かつ、簡潔でしかも確実な効果の得られる、細ひもやゴムひもの長さ調節に使われているところの図１４の１７で示すコードロック具が最適である。
【図面の簡単な説明】
【００１３】
【図１】伸張時の本体を下方斜めから見た図
【図２】伸張時の右側面図
【図３】収縮・収納セット状況図
【図４】収縮時の側面図
【図５】伸張中の状況図
【図６】着帽状態側面図
【図７】着帽状態の背面保護状況図
【図８】収縮中の状況図
【図９】収縮・収納時の内部状況図
【図１０】センタープレート両端U字型図
【図１１】各プレートの突起部及び溝部の図
【図１２】センタープレートU字型部拡大図
【図１３】ヒサシ付プレートのロック状況図
【図１４】内装ハンモックの内部展張状況図
【符号の説明】
【００１４】
１      センタープレート
２      複数の中間プレート
３      ヒサシ付プレート
４      収納時の留め具
５      ヒサシ周囲の頂部
６      ハンモックとあごひもの収納状態
７      ハンモックとあごひもの展張状態
８      外装カバー兼背面タレ
９      後部ヒサシと背面タレの接続部
１０    外装カバー兼背面タレの屈曲部
１１    収縮・収納時の内部空間状況
１２    U字部末端のせり出し部分
１３    U字部内の空間部分
１４    軸
１５    外装の殻とハンモックの連結状態
１６    緩衝材
１７    コードロック
Ａ    ヒサシ付プレートの突起部
Ｂ    中間プレートの溝部
Ｃ    中間プレートの突起部
Ｄ    最終中間プレートの溝部
【図１】
2010185147.tif 000003
【図２】
2010185147.tif 000004
【図３】
2010185147.tif 000005
【図４】
2010185147.tif 000006
【図５】
2010185147.tif 000007
【図６】
2010185147.tif 000008
【図７】
2010185147.tif 000009
【図８】
2010185147.tif 000010
【図９】
2010185147.tif 000011
【図１０】
2010185147.tif 000012
【図１１】
2010185147.tif 000013
【図１２】
2010185147.tif 000014
【図１３】
2010185147.tif 000015
【図１４】
2010185147.tif 000016